(57)【要約】      （修正有）【課題】従来技術の面積の大きい平板部品が容易に湾曲して変形することにより生じる工事における困難等の問題を解決する。【解決手段】防水連結構造であり、ソーラーパネル２０の配列と合わせて使用することで、建築物の平壁や屋根板を構成する。防水連結構造は、二つの半構成部品１０と、連結部品とを含む。二つの前記半構成部品は、二つの前記ソーラーパネルの間に介在し、前記連結部品は、二つの前記半構成部品の間のジョイントを覆い、雨水を各一つの前記半構成部品が形成する導水通路１６に流入させて導出し、建物内に浸透して進入するのを防ぐことができる。【選択図】図３
2020041308.tif 000002
【特許請求の範囲】
【請求項１】
防水連結構造であり、ソーラーパネルの配列と合わせて使用し、建物の平壁或いは屋根板を構成し、前記ソーラーパネルの配列が複数の横列、複数の縦列に定められ、複数の横列連結ユニットを含み、
各一つの前記横列連結ユニットが、二つの半構成部品と、連結部品とを含み、
各一つの前記半構成部品が、第一壁と、前記第一壁の一端から延伸する第二壁と、前記第二壁と連接し、且つ前記第一壁と平行に設置される第三壁と、前記第三壁の前記第二壁と離れた方の一端に位置し、且つ前記第一壁方向に延伸する第四壁と、前記第一壁と前記第四壁の間に介在する通路口とを含み、前記第一壁、前記第二壁、前記第三壁、前記第四壁が共同で導水通路を構成し、
前記連結部品が、セパレータと、それぞれが前記セパレータから延伸する二つの延伸部と、それぞれが各一つの前記延伸部の末端に設置される二つの結合部とを含み、
その内、各一つの前記横列連結ユニットが、それぞれ横列で隣合わせになる二つの前記ソーラーパネルの間に位置し、二つの前記半構成部品が、二つの前記ソーラーパネルの間に介在し、各一つの前記第一壁が、それぞれその内の一つの前記ソーラーパネルの外縁に設置され、前記セパレータが、二つの前記半構成部品の間のジョイントを覆い、二つの前記延伸部が、それぞれ二つの前記半構成部品の前記通路口を通過し、各一つの前記結合部が、二つの前記半構成部品の前記第一壁に連接し、且つ前記セパレータと二つの前記ソーラーパネルのジョイントが、それぞれ各一つの前記導水通路に連通することを特徴とする、防水連結構造。
【請求項２】
更に複数の縦列連結ユニットを含み、
各一つの前記縦列連結ユニットが、グリップ部品と、支持体とを含み、
前記グリップ部品が、底板と、それぞれが前記底板の両端から延伸する二つの立壁と、それぞれが前記立壁と連接し、且つ互いが反対方向に延伸する二つの圧板とを含み、
前記支持体が、底部と、それぞれが前記底部の相対する両端に位置し、且つ前記底部と段差を備える二つの支持部と、それぞれが各一つの前記支持部の前記底部と離れたもう一端に位置する二つの排水部と、各一つの前記支持部の高さと等しく、且つそれぞれが各一つの前記排水部と連接する二つの遮水部とを含み、
その内、各一つの前記縦列連結ユニットが、それぞれ縦列で隣合わせになる二つの前記ソーラーパネルの間に位置し、二つの前記縦列連結ユニットが、それぞれ各一つの前記圧板の圧着を受け、各一つの前記支持部上で支えられ、前記底板は前記底部に固定されて連接し、且つ各一つの前記支持部と二つの前記ソーラーパネルのジョイントが、それぞれ各一つの前記排水部に連通することを特徴とする、請求項１に記載の防水連結構造。
【請求項３】
各一つの前記導水通路の末端が、各一つの前記排水部に連通することを特徴とする、請求項２に記載の防水連結構造。
【請求項４】
前記第一壁が、前記ソーラーパネルに向かって凹陥する段差を備え、且つ前記結合部は、前記段差と対応するバーブを形成することを特徴とする、請求項１に記載の防水連結構造。
【請求項５】
各一つの前記半構成部品が、前記第一壁と前記第三壁を連接する補強リブを含むことを特徴とする、請求項１に記載の防水連結構造。
【発明の詳細な説明】
【技術分野】
【０００１】
本発明は防水連結構造に関し、特に複数のソーラーパネルの組立てに用いられる防水連結構造に関する。
【背景技術】
【０００２】
近年、国際間で環境保護に対する意識が徐々に高くなり、どのように合理的にグリーンエネルギを運用するかが、重要な環境保護の議題となっている。グリーンエネルギ科学技術において、太陽光発電は、コストが低く、実施が簡単で便利である為、注目を受けている。よく見られる太陽光発電の設備は、建物の屋上の空きスペースを利用して取付けるソーラーパネルであり、光エネルギを電気エネルギに変換し保存することができ、一般電力の代替をする。具体的に言うと、ソーラーパネルの周知の取付け方法は、屋上に棚を架設し、棚の上面にグリッドを形成し、ソーラーパネルを棚上のグリッド内に嵌設する。しかし雨天時、雨水がソーラーパネルと棚の間の間隙から建物内に浸透し、且つ棚は時間の経過と伴に酸化して発錆し、補修を行う際、元々の棚を取除き新しい棚と交換する必要があり、使用上において労力と時間を浪費し、建材も浪費する。
【先行技術文献】
【特許文献】
【０００３】
【特許文献１】台湾特許公報公告第Ｍ４６６１４３号明細書
【０００４】
台湾公告第Ｍ４６６１４３号特許申請案は、ソーラールーフタイルを提供し、それはルーフタイル本体と、ソーラーパネルとを含む。前記ルーフタイル本体の両端はそれぞれ配合部を設ける。上下二つのルーフタイルの前記配合部の頑丈な畳合により、防雨及び隔熱効果を備えることができる。しかしながら、上述の従来技術の各一つの前記ルーフタイルは、いずれも別の二つのルーフタイルにより固定するので、もしも末端のルーフタイルが損壊した場合、相互に連結するルーフタイルの全てを取外さなければ、損壊したルーフタイルを取除き新しいものに交換することができない。よって、従来技術は改善される必要がある。
【発明の概要】
【０００５】
本発明の目的は、従来技術の面積の大きい平板部品が容易に湾曲して変形することにより生じる工事における困難等の問題を解決することである。
【０００６】
上述の目的を達成する為に、本発明は防水連結構造を提供し、それはソーラーパネルの配列と合わせて使用し、建物の平壁或いは屋根板を構成し、前記ソーラーパネルの配列は複数の横列、複数の縦列に定められる。上述の防水連結構造は、複数の横列連結ユニットを含み、各一つの前記横列連結ユニットは、二つの半構成部品と、連結部品とを含む。各一つの前記半構成部品は、第一壁と、前記第一壁の一端から延伸する第二壁と、前記第二壁と連接し、且つ前記第一壁と平行に設置される第三壁と、前記第三壁の前記第二壁と離れた方の一端に位置し、且つ前記第一壁方向に延伸する第四壁と、前記第一壁と前記第四壁の間に介在する通路口とを含み、前記第一壁、前記第二壁、前記第三壁、前記第四壁は共同で導水通路を構成する。前記連結部品は、セパレータと、それぞれが前記セパレータから延伸する二つの延伸部と、それぞれが各一つの前記延伸部の末端に設置される二つの結合部とを含む。その内の各一つの前記横列連結ユニットは、それぞれ横列で隣合わせになる二つの前記ソーラーパネルの間に位置し、二つの前記半構成部品は、二つの前記ソーラーパネルの間に介在し、各一つの前記第一壁は、それぞれその内の一つの前記ソーラーパネルの外縁に設置し、前記セパレータは、二つの前記半構成部品の間のジョイントを覆い、二つの前記延伸部は、それぞれ二つの前記半構成部品の前記通路口を通過し、各一つの前記結合部は、二つの前記半構成部品の前記第一壁に連接し、且つ前記セパレータと二つの前記ソーラーパネルのジョイントは、それぞれ各一つの前記導水通路に連通する。
【０００７】
更に、上述の防水連結構造は、複数の縦列連結ユニットを含み、各一つの前記縦列連結ユニットは、グリップ部品と、支持体とを含む。前記グリップ部品は、底板と、それぞれが前記底板の両端から延伸する二つの立壁と、それぞれが前記立壁と連接し、且つ互いが反対方向に延伸する二つの圧板とを含む。前記支持体は、底部と、それぞれが前記底部の相対する両端に位置し、且つ前記底部と段差を備える二つの支持部と、それぞれが各一つの前記支持部の前記底部と離れたもう一端に位置する二つの排水部と、各一つの前記支持部の高さと等しく、且つそれぞれが各一つの前記排水部と連接する二つの遮水部とを含む。その内各一つの前記縦列連結ユニットは、それぞれ縦列で隣合わせになる二つの前記ソーラーパネルの間に位置し、二つの前記縦列連結ユニットは、それぞれ各一つの前記圧板の圧着を受け、各一つの前記支持部上で支えられ、前記底板は前記底部に固定して連接し、且つ各一つの前記支持部と二つの前記ソーラーパネルのジョイントは、それぞれ各一つの前記排水部に連通する。
【０００８】
更に、各一つの前記導水通路の末端は、各一つの前記排水部に連通する。
【０００９】
更に、前記第一壁は、前記ソーラーパネルに向かって凹陥する段差を備え、且つ前記結合部は、前記段差と対応するバーブを形成する。
【００１０】
更に、各一つの前記半構成部品は、前記第一壁と前記第三壁を連接する補強リブを含む。
【００１１】
本発明の防水連結構造は、その横列連結ユニット、縦列連結ユニットを一つずつ解体することができる為、単一のソーラーパネルを取外して修繕或いは交換をすることができる。周知のルーフタイル構造の、連接する全てのソーラーパネルを解体しなければならない問題を解決する。
【図面の簡単な説明】
【００１２】
【図１】本発明の第一実施様態の立体分解図である。
【図２】本発明のソーラーパネルと半構成部品の立体図である。
【図３】本発明のソーラーパネルと半構成部品の側面図である。
【図４】本発明の第一実施様態の立体分解図である。
【図５】本発明の第一実施様態の立体組合図である。
【図６】本発明を屋根板で実施した場合の使用様態指示図である。
【図７】本発明を平壁で実施した場合の使用様態指示図である。
【図８】本発明の第二実施様態の立体分解図である。
【図９】本発明の第二実施様態の立体組合図である。
【図１０】本発明の第二実施様態の側面図である。
【発明を実施するための形態】
【００１３】
本発明の技術に関し、図１から図３を参照する。本発明は防水連結構造を提供し、それは建物の平壁或いは屋根板を構成するために、ソーラーパネルの配列９００と合わせて使用する。前記ソーラーパネルの配列９００内には、複数のソーラーパネル２０を備え、且つ複数の前記ソーラーパネル２０は一個の平面に沿って配列され、複数の横列、複数の縦列に定められる。防水連結構造は、複数の横列連結ユニットを含み、各一つの前記横列連結ユニットは、前記横列で隣合わせになる二つの前記ソーラーパネル２０の連接に用いられる。且つ各一つの前記横列連結ユニットは、二つの半構成部品１０と、連結部品３０とを含む。
【００１４】
具体的に言うと、各一つの前記半構成部品１０は、第一壁１１と、前記第一壁１１の一端から延伸する第二壁１２と、前記第二壁１２と連接し、且つ前記第一壁１１と平行に設置される第三壁１３と、前記第三壁１３の前記第二壁１２と離れた方の一端に位置し、且つ前記第一壁１１方向に延伸する第四壁１４と、前記第一壁１１と前記第四壁１４の間に介在する通路口１５とを含み、前記第一壁１１、前記第二壁１２、前記第三壁１３、前記第四壁１４は共同で導水通路１６を構成する。各一つの前記半構成部品１０は、前記第一壁１１と前記第三壁１３を連接する補強リブ１７を含み、各一つの前記半構成部品１０の構造の補強に用いられる。本実施様態において、各一つの前記半構成部品１０は前記ソーラーパネル２０の一側に設置し、且つ前記ソーラーパネル２０の反対側にはもう一つの前記半構成部品１０を設ける。各一つの前記半構成部品１０は、溶接等の方法を通じて前記ソーラーパネル２０と結合でき、或いは前記ソーラーパネル２０のフレームの一体成型の一部とすることができるが、これに限らない。
【００１５】
図３から図５を参照すると、前記連結部品３０は、セパレータ３１と、それぞれが前記セパレータ３１から延伸する二つの延伸部３２と、それぞれが各一つの前記延伸部３２の末端に設置される二つの結合部３３とを含む。本実施様態において、前記第一壁１１は、前記ソーラーパネル２０に向かって凹陥する段差１１１を備え、且つ前記結合部３３は前記段差１１１と対応するバーブを形成し、前記結合部３３と前記段差１１１を係合させる。
【００１６】
以下に本発明の組立と作用方式を説明する。各一つの前記横列連結ユニットは、それぞれ横列で隣合わせになる二つの前記ソーラーパネル２０の間に位置する。二つの前記半構成部品１０は、二つの前記ソーラーパネル２０の間に介在し、各一つの前記第一壁１１は、それぞれその内一つの前記ソーラーパネル２０の外縁に設置し、前記セパレータ３１は、二つの前記半構成部品１０の間のジョイントを覆い、二つの前記延伸部３２は、それぞれ二つの前記半構成部品１０の前記通路口１５を通過し、各一つの前記結合部３３は、二つの前記半構成部品１０の前記第一壁１１に連接し、且つ前記セパレータ３１と二つの前記ソーラーパネル２０のジョイントは、それぞれ各一つの前記導水通路１６に連通する。これにより、前記セパレータ３１と二つの前記ソーラーパネル２０のジョイントに水が漏入った時、各一つの前記導水通路１６を通じて水を排出することができる。
【００１７】
図６を参照すると、図６は本発明を屋根板で実施した場合の使用様態である。雨天時、雨水は前記ソーラーパネルの排列９００の傾斜角に沿って低い所に向かって滑落ち、前記セパレータ３１と前記ソーラーパネル２０のジョイント箇所から浸入するかもしれない。この時、浸入した雨水は、前記通路口１５から前記導水通路１６に進入し、前記導水通路１６から両側に向かって排出され、屋内に浸透することがない。図７を参照すると、図７は本発明を平壁で実施した場合の使用様態指示図である。雨天時、雨水は壁面に沿って滑落ち、前記セパレータ３１と前記ソーラーパネル２０のジョイント箇所から浸入するかもしれない。この時、浸入した雨水は、前記通路口１５から前記導水通路１６に進入し、前記第四壁１４のブロックを受けた後、更に前記導水通路１６から両側に向かって排出され、屋内に浸透することがない。これにより防水効果を達する。
【００１８】
図８から図１０を参照すると、上述の防水連結構造は、更に複数の縦列連結ユニットを含み、各一つの前記縦列連結ユニットは、グリップ部品４０と、支持体５０とを含む。各一つの前記縦列連結ユニットは、前記縦列で隣合わせになる二つの前記ソーラーパネル２０の連接に用いられる。
【００１９】
具体的に言うと、前記グリップ部品４０は、底板４１と、それぞれが前記底板４１の両端から延伸する二つの立壁４２と、それぞれが前記立壁４２と連接し、且つ互いが反対方向に延伸する二つの圧板４３とを含む。前記支持体５０は、底部５１と、それぞれが前記底部５１の相対する両端に位置し、且つ前記底部５１と段差を備える二つの支持部５２と、それぞれが各一つの前記支持部５２の前記底部５１と離れたもう一端に位置する二つの排水部５３と、各一つの前記支持部５２の高さと等しく、且つそれぞれが各一つの前記排水部５３と連接する二つの遮水部５４とを含む。
【００２０】
その内の各一つの前記縦列連結ユニットは、それぞれ縦列で隣合わせになる二つの前記ソーラーパネル２０の間に位置し、二つの前記縦列連結ユニットは、それぞれ各一つの前記圧板４３の圧着を受け、各一つの前記支持部５２上で支えられ、前記底板４１は前記底部５１に固定して連接し、且つ各一つの前記支持部５２と二つの前記ソーラーパネル２０のジョイントは、それぞれ各一つの前記排水部５３に連通する。本発明を屋根板に使用する際、各一つの前記縦列連結ユニットは、屋根の傾斜に沿い、前記ソーラーパネルの配置９００、各一つの前記横列連結ユニット、各一つの前記縦列連結ユニットを組合せた後、各一つの前記排水部５３を軒方向に傾斜させることができ、溜まった水を排出することができる。各一つの前記導水通路１６の末端は各一つの前記排水部５３に連通することで、合流と排水の目的を達することができる。
【符号の説明】
【００２１】
１０      半構成部品
１１      第一壁
１１１    段差
１２      第二壁
１３      第三壁
１４      第四壁
１５      通路口
１６      導水通路
１７      補強リブ
２０      ソーラーパネル
３０      連結部品
３１      セパレータ
３２      延伸部
３３      結合部
４０      グリップ部品
４１      底板
４２      立壁
４３      圧板
５０      支持体
５１      底部
５２      支持部
５３      排水部
５４      遮水部
９００    ソーラーパネルの配列
【図１】
2020041308.tif 000003
【図２】
2020041308.tif 000004
【図３】
2020041308.tif 000005
【図４】
2020041308.tif 000006
【図５】
2020041308.tif 000007
【図６】
2020041308.tif 000008
【図７】
2020041308.tif 000009
【図８】
2020041308.tif 000010
【図９】
2020041308.tif 000011
【図１０】
2020041308.tif 000012